(57)【特許請求の範囲】
【請求項１】
アイライナー化粧料を塗布するための塗布体と、
前記塗布体が先端から前方へ突出する先筒と、
前記先筒から突出して前記塗布体の周辺に位置し、前記塗布体による前記アイライナー化粧料の塗布の際に、睫毛に接触し当該睫毛を前記塗布体から遠ざけるための睫毛よけ用の突起と、を備え、
前記突起が前記塗布体より前方へ突出しないように、前記突起の先端は、前記塗布体の先端より後方に位置することを特徴とするアイライナー化粧料塗布具。
【請求項２】
前記塗布体と前記突起とは離間していることを特徴とする請求項１記載のアイライナー化粧料塗布具。
【請求項３】
前記突起は、側方視において前記塗布体に重なるようにして延びていることを特徴とする請求項２記載のアイライナー化粧料塗布具。
【発明の詳細な説明】
【技術分野】
【０００１】
本発明は、アイライナー化粧料を塗布するための塗布具に関する。
【背景技術】
【０００２】
従来、アイラインを描く際には、塗布体を目の縁（睫毛の生え際辺り）に当て当該塗布体を目の縁に沿って移動させることによりアイライナー化粧料を塗布するが、睫毛が邪魔となり、所望の細い幅で途切れなくアイラインを描くには高い技量を要する。
【０００３】
ここで、高い技量を要することなく、簡単に睫毛の生え際にアイラインを描くことができるアイライナー化粧料塗布具として、以下の特許文献１に記載のものが知られている。この特許文献１に記載のものは、塗布体に、目の輪郭に合わせた円弧状の湾曲部を形成し、この湾曲部にアイライナー化粧料を含浸させ目の縁に繰り返し押し当てることで、目の縁に沿ったアイラインを簡単に描くことができるとされている。
【先行技術文献】
【特許文献】
【０００４】
【特許文献１】特開２００８−２８９６８９号公報
【発明の概要】
【発明が解決しようとする課題】
【０００５】
しかしながら、上記アイライナー化粧料塗布具においては、アイライナー化粧料を含浸させた湾曲部を目の縁に沿って押し付けアイラインを描くため、目の縁に沿って押し付けられた湾曲部により、睫毛の根本側の部分も当然押さえ付けられることになる。従って、塗布の際に睫毛に邪魔されてアイラインを描けないということはないが、当然の如く睫毛の根本側の一帯が押し潰されアイライナー化粧料が付着するという問題を生じる。特に、睫毛にマスカラ処理を施していた場合には、マスカラ処理が台無しになってしまう。
【０００６】
そこで、本発明は、睫毛が邪魔にならず且つ睫毛にアイライナー化粧料を付着させることなく、簡単に綺麗なアイラインを描くことができるアイライナー化粧料塗布具を提供することを目的とする。
【課題を解決するための手段】
【０００７】
本発明によるアイライナー化粧料塗布具は、アイライナー化粧料を塗布するための塗布体と、塗布体が先端から前方へ突出する先筒と、先筒から突出して塗布体の周辺に位置し、塗布体によるアイライナー化粧料の塗布の際に、睫毛に接触し当該睫毛を塗布体から遠ざけるための睫毛よけ用の突起と、を備え、突起が塗布体より前方へ突出しないように、突起の先端は、塗布体の先端より後方に位置することを特徴としている。
【０００８】
このようなアイライナー化粧料塗布具によれば、塗布体によるアイライナー化粧料の塗布の際に、睫毛よけ用の突起を睫毛に接触させ睫毛を塗布体から遠ざけながら、塗布体により目の縁に沿ったアイラインを描くことができる。すなわち、睫毛よけ用の突起により、睫毛が邪魔にならず且つ睫毛にアイライナー化粧料を付着させることなく、簡単に綺麗なアイラインを描くことができる。
【０００９】
ここで、塗布体と突起とが離間しているのが好ましい。このような構成を採用した場合、睫毛が一層邪魔にならず且つ睫毛にアイライナー化粧料を一層付着させることなく、一層簡単に綺麗なアイラインを描くことができる。
【００１０】
また、上記作用を好適に奏する構成としては、具体的には、突起は、側方視において塗布体に重なるようにして延びている構成が挙げられる。
【発明の効果】
【００１１】
このように本発明によれば、睫毛が邪魔にならず且つ睫毛にアイライナー化粧料を付着させることなく、簡単に綺麗なアイラインを描くことができる。
【図面の簡単な説明】
【００１２】
【図１】本発明の第１実施形態に係るアイライナー化粧料塗布具を示す斜視図である。
【図２】図１に示すアイライナー化粧料塗布具の縦断面図である。
【図３】図１に示すアイライナー化粧料塗布具の先端部の拡大斜視図である。
【図４】図１〜図３に示すアイライナー化粧料塗布具の使用方法を説明するための図である。
【図５】本発明の第２実施形態に係るアイライナー化粧料塗布具の先端部の拡大斜視図である。
【図６】本発明の第３実施形態に係るアイライナー化粧料塗布具の先端部の拡大斜視図である。
【図７】本発明の第４実施形態に係るアイライナー化粧料塗布具の先端部の拡大斜視図である。
【発明を実施するための形態】
【００１３】
以下、本発明によるアイライナー化粧料塗布具の好適な実施形態について図１〜図７を参照しながら説明する。図１〜図４は、本発明の第１実施形態を、図５は、本発明の第２実施形態を、図６は、本発明の第３実施形態を、図７は、本発明の第４実施形態を各々示すものである。
【００１４】
先ず、図１〜図４に示す第１実施形態を説明する。図１及び図２は、第１実施形態に係るアイライナー化粧料塗布具を示す各図、図３は、アイライナー化粧料塗布具の先端部の拡大斜視図、図４は、アイライナー化粧料塗布具の使用方法を説明するための図であり、本実施形態のアイライナー化粧料塗布具は、アイライナー化粧料を目の縁に沿って塗布する際に用いられるものである。
【００１５】
図１及び図２に示すように、アイライナー化粧料塗布具１００は、容器外形を構成する容器本体１及び先筒２と、容器本体１内に収容された中綿３と、容器本体１及び先筒２内に収容されると共に先筒２の先端の開口から突出する塗布体５と、を備える。
【００１６】
容器本体１は、例えばＰＰ等から形成され、先細の段付き円筒状に構成される。容器本体１の後端の開口は、尾栓７を容器本体１に装着することにより閉じられ、図２に示すように、容器本体１の外周面の段差部より後側に形成された内部空間が、アイライナー化粧料を収容するための収容部１ｂとされる。そして、収容部１ｂに、アイライナー化粧料を含浸した中綿３が充填される。中綿３は、例えばポリエステル等から形成され、その後端に配置されたアジャスター４によりそのサイズが調節可能とされる。
【００１７】
先筒２は、例えばＰＰ等から形成され、円筒状に構成される。先筒２は、円筒状の後半部２ａが、容器本体１の円筒状の先端部の筒内に進入し、その段差部２ｃが容器本体１の先端面に突き当たり、この状態で、容器本体１に回転不能且つ軸線方向移動不能に装着される。また、この状態で、容器本体１の筒孔と先筒２の筒孔は連通した状態にある。
【００１８】
塗布体５は、アプリケータとも称されるものであり、ここでは、例えばポリエステルやナイロン等から形成されたチップとされる。塗布体５は、軸線方向に延在し、塗布体５の先端部と後端部との間の部分が、先筒２の筒孔に通されて嵌着される。塗布体５は、その後端部が、中綿３に差し込まれると共に、その先端部が、外部前方へ所定長突出する構成とされる。この塗布体５は、毛細管現象により中綿３からアイライナー化粧料を吸い上げて塗布体５の先端５ａへ送る。なお、塗布体５は、例えばブラシ等とすることもできる。
【００１９】
そして、容器先端には、塗布体５等を保護するための有底円筒形状のキャップが着脱自在に装着される。なお、図においては、キャップは取り外されている。
【００２０】
ここで、特に本実施形態においては、図１〜図３に示すように、塗布体５の周辺に位置する睫毛よけ用の突起６を備える。この睫毛よけ用の突起６は、先筒２の先端側の筒端面の一部から前方へ向けて突出するものであり、側方視において（例えば図２の上方から下方を視た状態において）塗布体５に重なるようにして当該塗布体５から離間し前方へ延びている。
【００２１】
突起６は、ここでは、平板を湾曲させた形状を呈し、具体的には、先端側に行くに従い塗布体５から徐々に離れるように湾曲した形状を呈する。この突起６は、ここでは、全長に亘って、塗布体５から離間している。また、突起６は、塗布体５よるアイライナー化粧料の塗布の際に塗布がしやすいように、塗布体５より前方へ突出しないように短くされている。
【００２２】
突起６は、ここでは、例えばＰＰ等により先筒２と一体成形されているが、先筒２と同材質又は異材質で別体で成形したものを、先筒２に固着したものであっても良い。また、突起６は、先筒２に対して着脱式としても良い。また、突起６は、硬くても軟らかくても良い。
【００２３】
このように構成されたアイライナー化粧料塗布具１００にあっては、中綿３に含浸されたアイライナー化粧料は、毛細管現象により塗布体５を経由して当該塗布体５の先端５ａへ送り出される。
【００２４】
ここで、図４に示すように、塗布体５により睫毛Ｍの上側のアイラインを描く場合には、睫毛よけ用の突起６を睫毛Ｍに接触させて睫毛Ｍを押し下げ塗布体５から下方へ遠ざけながら、塗布体５により目の縁に沿って狙い通りのアイラインを描くことができる。
【００２５】
また、塗布体５により睫毛Ｍの下側のアイラインを描く場合には、図示はしていないが、図４に示す状態からアイライナー化粧料塗布具１００を軸線回りに１８０°回転し睫毛よけ用の突起６が塗布体５に対して上側に位置するようにし、この状態で、睫毛よけ用の突起６を睫毛Ｍに接触させて睫毛Ｍを押し上げ塗布体５から上方へ遠ざけながら、塗布体５により目の縁に沿って狙い通りのアイラインを描くことができる。
【００２６】
このように、本実施形態においては、塗布体５によるアイライナー化粧料の塗布の際に、睫毛よけ用の突起６を睫毛Ｍに接触させ睫毛Ｍを塗布体５から遠ざけながら、塗布体５により目の縁に沿ったアイラインを描くことができるため、睫毛Ｍが邪魔にならず且つ睫毛Ｍにアイライナー化粧料を付着させることなく、簡単に綺麗なアイラインを描くことができる。なお、従来においては、一方の手で睫毛Ｍを持ち上げ又は持ち下げながら、他方の手でアイライナー化粧料塗布具を持ってアイラインを描くため、使用が面倒である。
【００２７】
また、本実施形態においては、塗布体５と睫毛よけ用の突起６とが離間しているため、睫毛Ｍが一層邪魔にならず且つ睫毛Ｍにアイライナー化粧料を一層付着させることなく、一層簡単に綺麗なアイラインを描くことができる。
【００２８】
図５は、本発明の第２実施形態に係るアイライナー化粧料塗布具の先端部の拡大斜視図である。
【００２９】
この第２実施形態が第１実施形態と違う点は、湾曲する睫毛よけ用の突起６を、直線状の睫毛よけ用の突起１６とした点である。この睫毛よけ用の突起１６は、ここでは、塗布体５とほぼ平行を成し前方へ延びている。
【００３０】
このように構成しても、第１実施形態と同様な作用・効果を奏するというのはいうまでもない。
【００３１】
図６は、本発明の第３実施形態に係るアイライナー化粧料塗布具の先端部の拡大斜視図である。
【００３２】
この第３実施形態が第１実施形態と違う点は、第１実施形態の睫毛よけ用の突起６に対して、当該突起６に直交しアイラインを引く方向に短尺に延びる第２の睫毛よけ用の突起２６を設けた点である。そして、第２の睫毛よけ用の突起２６及び睫毛よけ用の突起６により、図６の平面視において略Ｔ字が形成されている。なお、第２の睫毛よけ用の突起２６は、突起６と一体成形されていても、別体で成形したものを突起６に固着したものであっても、突起６に対して着脱式であっても良い。
【００３３】
このような第３実施形態によれば、第２の睫毛よけ用の突起２６がアイラインを描く方向に延びているため、アイラインを描く際に、アイラインを描く方向に並んでいる睫毛Ｍを、第２の睫毛よけ用の突起２６により纏めて塗布体５から遠ざけることができ（よけることができ）、アイラインが描きやすい。その結果、睫毛Ｍが一層邪魔にならず且つ睫毛Ｍにアイライナー化粧料を一層付着させることなく、一層簡単に綺麗なアイラインを描くことができる。
【００３４】
なお、第２の睫毛よけ用の突起２６を、第２実施形態の直線状の睫毛よけ用の突起１６に設けることも勿論可能である。
【００３５】
図７は、本発明の第４実施形態に係るアイライナー化粧料塗布具の先端部の拡大斜視図である。
【００３６】
この第４実施形態が第１実施形態と違う点は、睫毛よけ用の突起６を、塗布体５を間に挟むように一対設けた点である。
【００３７】
このような第４実施形態によれば、睫毛Ｍの上下両側にアイラインを描く場合であって、先に睫毛Ｍの上側にアイラインを描く場合には、下側の睫毛よけ用の突起６により睫毛Ｍを押し下げながら睫毛Ｍの上側に塗布体５によりアイラインを描き、続けて、アイライナー化粧料塗布具１００を１８０°回転させることなく（ひっくり返すことなく）多少下げ、上側の睫毛よけ用の突起６により睫毛Ｍを押し上げながら睫毛Ｍの下側に塗布体５によりアイラインを描くことができる。
【００３８】
また、先に睫毛Ｍの下側にアイラインを描く場合には、上側の睫毛よけ用の突起６により睫毛Ｍを押し上げながら睫毛Ｍの下側に塗布体５によりアイラインを描き、続けて、アイライナー化粧料塗布具１００を１８０°回転させることなく（ひっくり返すことなく）多少上げ、下側の睫毛よけ用の突起６により睫毛Ｍを押し下げながら睫毛Ｍの上側に塗布体５によりアイラインを描くことができる。
【００３９】
すなわち、睫毛Ｍの上側又は下側の何れか一方側のアイラインを描き、続けて、他方側のアイラインを描く場合に、アイライナー化粧料塗布具１００を上げ下げするだけで回転する必要がなく、従って、使い勝手の良いアイライナー化粧料塗布具１００となっている。
【００４０】
なお、一対の湾曲する睫毛よけ用の突起６，６を、第２実施形態の直線状の睫毛よけ用の突起１６，１６に代えることも勿論可能である。また、第３実施形態の第２の睫毛よけ用の突起２６を一対設けることも可能である。
【００４１】
以上、本発明をその実施形態に基づき具体的に説明したが、本発明は上記実施形態に限定されるものではなく、例えば、上記実施形態においては、アイライナー化粧料を含んだ中綿３からアイライナー化粧料を塗布体５に送る中綿式のアイライナー化粧料塗布具としているが、容器内にアイライナー化粧料を直接充填し、このアイライナー化粧料をジャバラ式やバルブ式等により塗布体５に供給する直液式等であっても良い。
【００４２】
また、上記各実施形態の睫毛よけ用の突起は、押出機構によりアイライナー化粧料を押し出すアイライナー化粧料塗布具や、使用者の押圧力によりアイライナー化粧料を押し出すことができるチューブやソフトボトル等のスクイーズタイプのアイライナー化粧料塗布具に対しても適用可能であり、さらには、アイライナー化粧料を収容せずに、塗布体５にアイライナー化粧料を付着させてアイラインを描くタイプのアイライナー化粧料塗布具に対しても適用できる。
【符号の説明】
【００４３】
５…塗布体、６，１６，２６…突起、１００…アイライナー化粧料塗布具、Ｍ…睫毛。
【図１】
0006446649.tif 000002
【図２】
0006446649.tif 000003
【図３】
0006446649.tif 000004
【図４】
0006446649.tif 000005
【図５】
0006446649.tif 000006
【図６】
0006446649.tif 000007
【図７】
0006446649.tif 000008